Podtech/llm-jp-corpus-v4-ja_patent huggingface dataset:
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
ＯＣＴ光源からの光を測定光路と参照光路に分割するための光分割器、および、前記測定光路を介して被検眼に導かれた測定光と前記参照光路からの参照光とのスペクトル干渉信号を検出する検出器、を有するＯＣＴ光学系と、前記ＯＣＴ光学系から出力されるスペクトル干渉信号を処理して被検眼のＯＣＴデータを取得する画像処理器と、を有するＯＣＴ装置であって、
前記光分割器からの前記測定光を偏向し、被検眼の組織上で走査する光スキャナと、
前記集光面が眼底側に凸となって湾曲させる対物光学系を持ち、前記光スキャナからの測定光の集光面を前記被検眼の前眼部に形成する導光光学系と、
を備えるＯＣＴ装置。
【請求項２】
前記対物光学系は、曲率半径（Ｒ）が、Ｒ≦２８．５となる範囲において、正の湾曲を持つ、請求項１記載のＯＣＴ装置。
【請求項３】
前記対物光学系は、１つ以上のレンズを含む請求項１または２記載のＯＣＴ装置。
【請求項４】
前記光スキャナは、前記対物光学系の焦点距離よりも、前記対物光学系から離間して配置されることにより、前記対物光学系から前記被検眼へ向けて出射する測定光の主光線が、前記導光光学系の光軸に近づく方向に傾斜している請求項１から３記載のＯＣＴ装置。
【請求項５】
前記対物光学系に関して前記走査部が前記瞳共役な位置に配置されるように、前記対物光学系と前記走査部との位置関係を変更する、対物光学系に対してレンズを挿脱する、または、その両方を行う切換手段を有する請求項１〜４のいずれかに記載のＯＣＴ装置。
【請求項６】
前記切換手段は、更に、前記対物光学系に関して前記走査部が前記瞳共役な位置に配置させた場合において、前記集光面の湾曲が眼底側に凸となるように維持させる、請求項５記載のＯＣＴ装置。
【請求項７】
前記画像処理器によって取得される前記ＯＣＴデータにおける直流成分によるノイズを除去するノイズ除去部を、更に有し、
前記画像処理部は、各走査位置での複数のスペクトルデータを、前記測定光の走査に基づいて取得し、
前記ノイズ除去部は、前記複数のスペクトルデータを、水晶体に照射された前記測定光に基づく第１スペクトルデータと、水晶体の周辺組織へ照射された前記測定光に基づく第２スペクトルデータとに分別し、前記複数のスペクトルデータにおいて前記虹彩よりも深い領域については、前記第１スペクトルデータと前記第２スペクトルデータとのうち、前記第２スペクトルデータにおける直流成分を第１スペクトルデータにおける前記虹彩よりも深い領域での直流成分とみなしてノイズ除去処理を行う、請求項１〜６のいずれかに記載のＯＣＴ装置。
【請求項８】
眼科用画像処理プログラムであって、
コンピュータのプロセッサで実行されることにより、
被検眼上で測定光を走査したＯＣＴ光学系から出力される信号に基づくスペクトルデータであって、各走査位置での複数のスペクトルデータを、前記測定光の走査に基づいて取得する取得ステップと、
ＯＣＴデータにおける直流成分を除去するノイズ除去ステップと、を前記コンピュータに実行させ、
前記ノイズ除去ステップは、前記複数のスペクトルデータを、水晶体に照射された前記測定光に基づく第１スペクトルデータと、水晶体の周辺組織へ照射された前記測定光に基づく第２スペクトルデータとに分別し、前記複数のスペクトルデータにおいて前記虹彩よりも深い領域については、前記第１スペクトルデータと前記第２スペクトルデータとのうち、前記第２スペクトルデータにおける直流成分を第１スペクトルデータにおける前記虹彩よりも深い領域での直流成分とみなしてノイズ除去処理を行う、眼科用画像処理プログラム。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
レンズを含む対物光学系を持ち、波長が互いに異なる第１照明光と第２照明光とを、前記対物光学系を介して同一の光路で被検眼にそれぞれ照射すると共に、前記第１照明光の被検眼からの戻り光と、前記第２照明光の被検眼からの戻り光と、をそれぞれ受光素子によって受光する撮影光学系と、
前記第１照明光による被検眼の画像と、前記第２照明光による被検眼の画像と、を前記受光素子からの信号に基づいてそれぞれ取得する画像取得手段と、
前記画像取得手段によって取得される各々の被検眼の画像が同じ倍率となるように、各々における倍率色収差であって、前記対物光学系では補正しきれない倍率色収差を補正する補正処理を実行する補正手段と、を備える眼科撮影装置。
【請求項２】
前記対物光学系は、前記第１照明光および前記第２照明光を走査するための走査部と、被検眼との間に配置されている、請求項１記載の眼科撮影装置。
【請求項３】
前記撮影光学系は、前記第１照明光および前記第２照明光の屈折状態を変更することで画角を切換る画角切換部を有し、
前記補正手段は、前記画角毎に異なる補正量を用いて前記補正処理を実行する請求項１又は２記載の眼科撮影装置。
【請求項４】
前記補正処理では、画像中の位置毎に異なる補正量であって高次収差を考慮した補正量を用いて、前記画像取得手段によって取得される各々の被検眼の画像間における倍率色収差が補正される請求項１から３のいずれかに記載の眼科撮影装置。
【請求項５】
前記倍率色収差補正がされた、前記第１照明光による被検眼の画像と前記第２照明光による被検眼の画像とを合成して合成画像を生成する画像処理手段を有する請求項１〜３のいずれかに記載の眼科撮影装置。
【請求項６】
前記補正手段は、前記第１照明光による被検眼の画像と前記第２照明光による被検眼の画像とのうち、前記倍率色収差がより小さな一方の周縁部を、他方の撮影範囲に合せてトリミングする請求項１〜４のいずれかに記載の眼科撮影装置。
【手続補正２】
【補正対象書類名】明細書
【補正対象項目名】０００９
【補正方法】変更
【補正の内容】
【０００９】
本開示の第１態様に係る眼科撮影装置は、レンズを含む対物光学系を持ち、波長が互いに異なる第１照明光と第２照明光とを、前記対物光学系を介して同一の光路で被検眼にそれぞれ照射すると共に、前記第１照明光の被検眼からの戻り光と、前記第２照明光の被検眼からの戻り光と、をそれぞれ受光素子によって受光する撮影光学系と、前記第１照明光による被検眼の画像と、前記第２照明光による被検眼の画像と、を前記受光素子からの信号に基づいてそれぞれ取得する画像取得手段と、前記画像取得手段によって取得される各々の被検眼の画像が同じ倍率となるように、各々における倍率色収差であって、前記対物光学系では補正しきれない倍率色収差を補正する補正処理を実行する補正手段と、を備える。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
少なくとも１つのレンズを含む対物レンズ系を介して，光源からの可視光による照明光を被検眼の眼底に照射する照射光学系と、前記対物レンズ系を介して，前記眼底による前記照明光の反射光を受光する受光素子を有する受光光学系と、を含む撮影光学系と、
前記可視光による前記眼底の正面画像を、前記受光素子からの信号に基づいて取得する画像取得手段と、
前記撮影光学系の光軸と，被検眼の視軸と，の位置関係を変更して、前記正面画像中の前記被検眼の組織に対して前記対物レンズ系による前記照明光の反射像が形成される位置を調整するための位置調整手段と、
第１正面画像と、前記第１正面画像の後に続けて撮影された第２正面画像であって、前記眼底の組織に対する前記反射像の位置が前記第１正面画像とは異なり，且つ，前記第１正面画像において前記反射像の位置する領域を含む第２正面画像と、の少なくとも２枚の前記正面画像を取得し、
それら２枚の前記正面画像の合成画像である合成正面画像であって、前記第１正面画像と、前記第２正面画像において縮瞳時のケラレの影響を受け得る周辺部に対する画像中心部と、に基づく合成正面画像を得る画像処理手段を有する眼科撮影装置。
【請求項２】
前記第２正面画像における前記周辺部に対して前記第１正面画像との合成に使われないケラレ領域を設定する領域設定手段を有し、
前記画像処理手段は、前記第２正面画像から前記ケラレ領域を除外した領域を前記画像中心部として、前記第１正面画像との合成正面画像を得る、請求項１記載の眼科撮影装置。
【請求項３】
前記第１正面画像および前記第２正面画像を続けて撮影する一連の撮影シーケンスを制御する制御手段であって、前記第１正面画像および前記第２正面画像の撮影を、それぞれ別個のレリーズ操作に基づいて実行する制御手段を備える請求項１又は２記載の眼科撮影装置。
【請求項４】
前記第１正面画像および前記第２正面画像を続けて撮影する一連の撮影シーケンスを制御する制御手段であって、少なくとも前記位置調整手段を制御して前記第１正面画像および前記第２正面画像を自動的に続けて撮影する、制御手段を備える請求項１〜３のいずれかに記載の眼科撮影装置。
【請求項５】
前記制御手段は、前記撮影シーケンスを実行することにより、前記第１正面画像および前記第２正面画像のうち一方を取得してから、前記位置関係を自動的に調整して、自動または手動で他方を取得する、請求項３又は４記載の眼科撮影装置。
【請求項６】
少なくとも１つのレンズを含む対物レンズ系を介して，光源からの可視光による照明光を被検眼の眼底に照射する照射光学系と、前記対物レンズ系を介して，前記眼底による前記照明光の反射光に基づいて前記眼底の正面画像を撮影する眼科撮影装置によって得られる前記正面画像を処理するための画像処理プログムであって、コンピュータのプロセッサで実行されることにより、
メモリに記憶される前記正面画像の中から、第１正面画像と、前記第１正面画像の後に続けて撮影された第２正面画像であって、前記眼底の組織に対する前記反射像の位置が前記第１正面画像とは異なり，且つ，前記第１正面画像において前記反射像の位置する領域を含む第２正面画像と、の少なくとも２枚の前記正面画像を取得し、
それら２枚の前記正面画像の合成画像である合成正面画像であって、前記第１正面画像と、前記第２正面画像において縮瞳時のケラレの影響を受け得る周辺部に対する画像中心部と、に基づく合成正面画像を得る画像処理ステップ、を前記コンピュータに実行させる画像処理プログラム。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
被検物に照射された測定光と参照光によるＯＣＴ信号を検出するＯＣＴ光学系を有し、前記ＯＣＴ信号を処理することで前記被検物のＯＣＴデータを取得する眼科撮影装置であって、
前記ＯＣＴ光学系によって、前記被検物の第１撮像領域における第１ＯＣＴデータを取得するとともに、前記第１撮像領域とは深さ方向に異なる第２撮像領域の第２ＯＣＴデータを取得するＯＣＴデータ取得手段と、
前記第１撮像領域と前記第２撮像領域とで重複する重複領域における前記第１ＯＣＴデータと前記第２ＯＣＴデータのそれぞれの輝度値を重み付け処理し、重み付け処理された前記重複領域を用いて前記第１ＯＣＴデータと前記第２ＯＣＴデータを合成処理することによって、合成ＯＣＴデータを取得する合成データ取得手段と、
を備えることを特徴とする眼科撮影装置。
【請求項２】
請求項１の眼科撮影装置において、
前記合成データ取得手段は、前記重複領域において重み付け処理を行う際に、ゼロディレイ位置から深さ方向に離れた前記重複領域ほど重み付けを小さくすることを特徴とする眼科撮影装置。
【請求項３】
請求項１または２の眼科撮影装置において、
前記ＯＣＴ光学系は、前記参照光路としての第１参照光路と前記第１参照光路とは異なる第２参照光路と、前記第１参照光路からの参照光と前記測定光との第１ＯＣＴ信号を検出するための第１検出器と、前記第１検出器とは異なる第２検出器であって、前記第２参照光路からの参照光と前記測定光との第２ＯＣＴ信号を検出するための第２の検出器と、を備えることを特徴とする眼科撮影装置。
【請求項４】
被検物に照射された測定光と参照光によるＯＣＴ信号を検出するＯＣＴ光学系を有し、前記ＯＣＴ信号を処理することで前記被検物のＯＣＴデータを取得する眼科撮影装置において実行される眼科撮影プログラムであって、
前記眼科撮影装置のプロセッサによって実行されることで、
前記ＯＣＴ光学系によって、前記被検物の第１撮像領域における第１ＯＣＴデータを取得するとともに、前記第１撮像領域とは深さ方向に異なる第２撮像領域の第２ＯＣＴデータを取得するＯＣＴデータ取得ステップと、
前記第１撮像領域と前記第２撮像領域とで重複する重複領域における前記第１ＯＣＴデータと前記第２ＯＣＴデータのそれぞれの輝度値を重み付け処理し、重み付け処理された前記重複領域を用いて前記第１ＯＣＴデータと前記第２ＯＣＴデータを合成処理することによって、合成ＯＣＴデータを取得する合成データ取得ステップと、
を前記眼科撮影装置に実行させることを特徴とする眼科撮影プログラム。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、
被検眼の眼底に測定光を出射し、その反射光を受光する測定光学系を有し、前記被検眼の光学特性を他覚的に測定する他覚式測定手段と、
前記自覚式測定手段によって前記被検眼の光学特性を自覚的に測定している間に、前記他覚式測定手段によって前記被検眼の光学特性を他覚的に測定する制御手段と、
前記被検眼及び前記被検眼に入射する前記視標光束の結像位置が少なくとも描写される眼図を表示する表示制御手段であって、前記他覚式測定手段によって他覚的に測定された光学特性に基づいて、前記結像位置を表示する表示制御手段と、
を備えることを特徴とする自覚式検眼装置。
【請求項２】
請求項１の自覚式検眼装置において、
前記制御手段は、前記自覚式測定手段によって前記被検眼の光学特性を自覚的に測定している間に、前記他覚測定手段によって前記被検眼の光学特性を他覚的に複数回測定し、
前記表示制御手段は、前記他覚式測定手段による複数回の測定によって、新たに光学特性が測定されるのに応じて、新たな光学特性に基づいて前記結像位置を変更して表示することを特徴とする自覚式検眼装置。
【請求項３】
請求項１または２の自覚式検眼装置において、
前記制御手段は、前記被検眼の光学特性として、前記前記他覚式測定手段によって前記被検眼の光学特性を他覚的に測定して第１光学特性を取得するとともに、前記自覚式測定手段によって前記被検眼の光学特性を自覚的に測定している間に、前記他覚式測定手段によって前記被検眼の光学特性を他覚的に測定して第２光学特性を取得し、
前記表示制御手段は、前記結像位置として、前記第１光学特性に基づく第１結像位置と、前記第２光学特性に基づく第２結像位置と、を比較可能に表示することを特徴とする自覚式検眼装置。
【請求項４】
請求項１〜３のいずれかの自覚式検眼装置において、
前記表示制御手段は、さらに、前記眼図における前記結像位置についての理解を補助するためのガイド情報を表示することを特徴とする自覚式検眼装置。
【請求項５】
視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記自覚式測定手段によって前記被検眼の光学特性を自覚的に測定している間に、前記他覚式測定手段によって前記被検眼の光学特性を他覚的に測定する制御手段と、を備える自覚式検眼装置において用いられる自覚式検眼プログラムであって、前記自覚式検眼装置のプロセッサによって実行されることで、
前記被検眼及び前記被検眼に入射する前記視標光束の結像位置が少なくとも描写される眼図を表示する表示制御ステップであって、前記他覚式測定手段によって他覚的に測定された光学特性に基づいて、前記結像位置を表示する表示制御ステップと、
を前記自覚式検眼装置に実行させることを特徴とする自覚式検眼プログラム。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
被検眼に照射された測定光と参照光との干渉を用いて前記被検眼の断層画像を取得するための干渉光学系と、
前記被検眼の正面画像を取得するための観察光学系と、
前記干渉光学系及び観察光学系で取得された断層画像データ及び正面画像を受信して前記断層画像を生成するホストＰＣと、
前記断層画像データ及び前記正面画像を一時的に記憶する記憶部を備え、前記記憶部に記憶された前記断層画像データ及び前記正面画像を前記ホストＰＣへ転送する制御部とを有し、
前記制御部と前記ホストＰＣとが、汎用的な通信手段により接続されている
ことを特徴とする眼科撮影装置。
【請求項２】
請求項１に記載する眼科撮影装置において、
前記制御部は、前記正面画像と前記断層画像データとを関連づけるための付加情報を付与する
ことを特徴とする眼科撮影装置。
【請求項３】
請求項２に記載する眼科撮影装置において、
前記付加情報は、前記記憶部に取り込んだときに付与するタイムスタンプ情報である
ことを特徴とする眼科撮影装置。
【請求項４】
請求項２又は請求項３に記載する眼科撮影装置において、
前記制御部は、１Ｂスキャン分の前記断層画像データ毎に、走査位置情報を付与する
ことを特徴とする眼科撮影装置。
【請求項５】
請求項２から請求項４に記載するいずれか１つの眼科撮影装置において、
前記ホストＰＣは、前記正面画像の位置ズレを検出すると、前記付加情報から位置ズレが発生した前記正面画像に関連づけられた前記断層画像データは前記断層画像を生成する際に使用しない
ことを特徴とする眼科撮影装置。
【請求項６】
請求項４に記載する眼科撮影装置において、
前記ホストＰＣは、前記正面画像の位置ズレを検出すると、前記付加情報から位置ズレが発生した前記正面画像に関連づけられた前記断層画像データを破棄し、その破棄した断層画像データの前記走査位置情報に基づいて、前記破棄した断層画像データと同じ走査位置における断層画像データを再取得する
ことを特徴とする眼科撮影装置。
【請求項７】
請求項４に記載する眼科撮影装置において、
前記ホストＰＣは、前記正面画像の位置ズレを検出すると、前記断層画像データを取得する走査位置を前記位置ズレに対応する分だけ補正するための走査位置補正指令を前記制御部へ送信し、
前記制御部は、受信した前記走査位置補正指令に基づき、前記断層画像データを取得する走査位置を補正する
ことを特徴とする眼科撮影装置。
【請求項８】
請求項１から請求項７に記載するいずれか１つの眼科撮影装置において、
前記制御部は、前記通信手段の通信状況に基づいて、前記ホストＰＣへのデータ転送のタイミングを制御する
ことを特徴とする眼科撮影装置。
【請求項９】
請求項１から請求項７に記載するいずれか１つの眼科撮影装置において、
前記制御部は、前記通信手段の通信状況に基づいて、前記ホストＰＣへ転送するデータ容量を制御する
ことを特徴とする眼科撮影装置。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
被検者の視機能の検査を行う眼科装置であって、
前記被検者の左眼および右眼の少なくとも一方の前眼部画像を撮影する前眼部撮影部と、
前記被検者の左眼および右眼の少なくとも一方に固視標を呈示する固視標呈示部と、
前記眼科装置の制御を司る制御部と、
を備え、
前記制御部は、
前記前眼部撮影部によって撮影された前記前眼部画像を処理することで、前記被検者の左眼および右眼の少なくとも一方の眼位を測定すると共に、
前記被検者の左眼および右眼の少なくとも一方に対する前記固視標の呈示と非呈示が切り替えられた呈示切替時よりも後のタイミング、および、前記呈示切替時以前のタイミングを含む少なくとも２つのタイミングにおける検査対象眼の眼位の測定結果に基づいて、前記検査対象眼の眼位の状態を示す眼位状態情報を生成することを特徴とする眼科装置。
【請求項２】
請求項１に記載の眼科装置であって、
前記制御部は、
少なくとも前記呈示切替時以後における前記検査対象眼の眼位と時間の関係を示す眼位変化グラフのデータを、前記眼位状態情報として生成することを特徴とする眼科装置。
【請求項３】
請求項１または２に記載の眼科装置であって、
前記制御部は、
前記呈示切替時以前における少なくとも１つの切替前タイミングの前記検査対象眼の眼位の測定結果と、前記呈示切替時よりも後における少なくとも１つの切替後タイミングの前記検査対象眼の眼位の測定結果のずれ量を、前記眼位状態情報として生成することを特徴とする眼科装置。
【請求項４】
請求項３に記載の眼科装置であって、
前記制御部は、
前記呈示切替時から待機時間が経過したタイミングである基準タイミング以後の、少なくとも１つの前記切替後タイミングにおける眼位の測定結果に基づいて、前記ずれ量を生成することを特徴とする眼科装置。
【請求項５】
請求項３に記載の眼科装置であって、
前記制御部は、
複数の前記切替前タイミングにおける複数の眼位の測定結果と、複数の前記切替後タイミングにおける複数の眼位の測定結果から、前記呈示切替時以前において測定された頻度が最も高い第１最頻値と、前記呈示切替時よりも後において測定された頻度が最も高い第２最頻値を特定し、
前記第１最頻値と前記第２最頻値のずれ量を前記眼位状態情報として算出することを特徴とする眼科装置。
【請求項６】
被検者の視機能の検査を行うために使用される眼科装置であって、
前記被検者の左眼および右眼の少なくとも一方の前眼部画像を撮影する前眼部撮影部と、
前記被検者の左眼および右眼の少なくとも一方に固視標を呈示する固視標呈示部と、
前記眼科装置の制御を司る制御部と、
を備え、
前記制御部は、
前記前眼部撮影部によって撮影された前記前眼部画像を処理することで、前記被検者の左眼および右眼の少なくとも一方の眼位を複数のタイミングで測定すると共に、
測定された眼位と時間の関係を示す眼位変化グラフのデータを生成することを特徴とする眼科装置。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機であって、
遊技者によって遊技に関する操作が行われる操作手段と、
遊技に用いられる遊技媒体を貯留する貯留手段と、
所定の抽選条件が成立した場合に所定の抽選確率で成立する抽選を実行する抽選手段と、
遊技者が接触し得る所定の位置に配置可能な被接触手段と、
前記抽選手段による抽選結果に応じて、前記被接触手段に対応する表現画像を含む表示画像を生成する画像生成手段と、
該画像生成手段によって生成される表示画像を表示する画像表示手段とを備え、
前記被接触手段は、遊技者が把持して操作可能な大きさに形成され、遊技者に近い前方側に位置する状態と、遊技者から遠い後方側に位置する状態とがあり、
前記前方側に位置した前記被接触手段を遊技者が把持した状態において、前記抽選手段による抽選結果に基づいて、２種以上の振動パターンの中から決定された振動パターンでの振動が遊技者に伝達されるように構成されていることを特徴とする遊技機。
【請求項２】
前記遊技機は、パチンコ機またはスロットマシンであることを特徴とする請求項１に記載の遊技機。
【手続補正２】
【補正対象書類名】明細書
【補正対象項目名】０００６
【補正方法】変更
【補正の内容】
【０００６】
上記の課題を解決するために、本発明に係る遊技機は、
遊技媒体を用いて遊技を行う遊技機であって、
遊技者によって遊技に関する操作が行われる操作手段と、
遊技に用いられる遊技媒体を貯留する貯留手段と、
所定の抽選条件が成立した場合に所定の抽選確率で成立する抽選を実行する抽選手段と、
遊技者が接触し得る所定の位置に配置可能な被接触手段と、
前記抽選手段による抽選結果に応じて、前記被接触手段に対応する表現画像を含む表示画像を生成する画像生成手段と、
該画像生成手段によって生成される表示画像を表示する画像表示手段とを備え、
前記被接触手段は、遊技者が把持して操作可能な大きさに形成され、遊技者に近い前方側に位置する状態と、遊技者から遠い後方側に位置する状態とがあり、
前記前方側に位置した前記被接触手段を遊技者が把持した状態において、前記抽選手段による抽選結果に基づいて、２種以上の振動パターンの中から決定された振動パターンでの振動が遊技者に伝達されるように構成されていることを特徴とする。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
表示手段と、
前記表示手段に表示される複数の表示に共通の変化を与える特定演出を実行可能な特定演出実行手段と、を備え、
前記表示手段は、所定状態に関連する関連表示として、前記特定演出による変化を受ける第１関連表示と、前記特定演出による変化を受けない第２関連表示と、を表示可能であり、
前記特定演出実行手段は、前記特定演出を拡大表示もしくは縮小表示することにより、前記関連表示に変化を与えることが可能であり、
前記第１関連表示は、文字表示であり、
前記第１関連表示と前記第２関連表示とを同時に表示可能であり、
前記第１関連表示は、
移動する態様で表示され、前記特定演出による変化を受けるときにも移動する態様で表示され、
前記特定演出を拡大表示もしくは縮小表示することによる変化を受けるときに、拡大表示もしくは縮小表示することが可能である、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技を行うことが可能な遊技機（例えば、パチンコ遊技機１等）であって、表示手段（例えば、画像表示装置５等）と、前記表示手段に表示される複数の表示に共通の変化を与える特定演出を実行可能な特定演出実行手段（例えば、演出制御用ＣＰＵ１２０が、画像表示装置５に表示される複数の表示を共通の縮小率で縮小させる縮小演出を実行可能であること等）と、を備え、前記表示手段は、所定状態に関連する関連表示（例えば、大当り中演出の実行中であることを報知する大当りテロップ画像３８ＳＨ１０や、下皿が満タンになっている異常を報知するエラーテロップ画像３８ＳＨ９０等）として、前記特定演出による変化を受ける第１関連表示（例えば、縮小演出による変化を受ける大当りテロップ画像３８ＳＨ１０等）と、前記特定演出による変化を受けない第２関連表示（例えば、縮小演出による変化を受けないエラーテロップ画像３８ＳＨ９０等）と、を表示可能であり、前記特定演出実行手段は、前記特定演出を拡大表示もしくは縮小表示することにより、前記関連表示に変化を与えることが可能であり、前記第１関連表示は、文字表示であり、前記第１関連表示と前記第２関連表示とを同時に表示可能であり（例えば、大当り中演出の実行中に下皿が満タンになっていることが検知された場合に、大当りテロップ画像３８ＳＨ１０とエラーテロップ画像３８ＳＨ９０とが同時に表示される）、前記第１関連表示は、移動する態様で表示され、前記特定演出による変化を受けるときにも移動する態様で表示され、前記特定演出を拡大表示もしくは縮小表示することによる変化を受けるときに、拡大表示もしくは縮小表示することが可能である、ことを特徴とする。
（１）上記目的を達成するため、他の遊技機は、遊技を行うことが可能な遊技機（例えば、パチンコ遊技機１等）であって、表示手段（例えば、画像表示装置５等）と、前記表示手段に表示される複数の表示に共通の変化を与える特定演出を実行する特定演出手段（例えば、演出制御用ＣＰＵ１２０が、画像表示装置５に表示される複数の表示を共通の縮小率で縮小させる縮小演出を実行可能であること等）とを備え、前記表示手段は、所定状態に関連する関連表示（例えば、大当り中演出の実行中であることを報知する大当りテロップ画像３８ＳＨ１０や、下皿が満タンになっている異常を報知するエラーテロップ画像３８ＳＨ９０等）を表示可能であり、関連表示として、前記特定演出による変化を受ける第１関連表示（例えば、縮小演出による変化を受ける大当りテロップ画像３８ＳＨ１０等）と、前記特定演出による変化を受けない第２関連表示（例えば、縮小演出による変化を受けないエラーテロップ画像３８ＳＨ９０等）とを表示可能である。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技を行うことにより識別情報の可変表示を行い、識別情報の可変表示の表示結果が特定表示結果となったときに遊技者にとって有利な有利状態に制御可能であるとともに、識別情報を仮停止した後に再可変表示を行うことが可能な遊技機であって、
第１表示手段と、
第２表示手段と、を備え、
前記第１表示手段と前記第２表示手段とに跨らずに、前記再可変表示に関連する第１文字表示を表示可能であり、
前記第１表示手段と前記第２表示手段とに跨って、前記有利状態に制御されることを事前に示唆する先読み演出に関連する第２文字表示を前記第１文字表示よりも大きく表示可能であり、
前記第１文字表示と、前記第２文字表示とを同時に表示可能であり、
前記第１表示手段と前記第２表示手段とに跨って前記第２文字表示を表示するときに、前記第１表示手段の表示領域と前記第２表示手段の表示領域との間の非表示領域の大きさよりも大きい文字を表示可能である
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技を行うことにより識別情報の可変表示を行い、識別情報の可変表示の表示結果に基づいて遊技者にとって有利な有利状態に制御可能であるとともに、識別情報を仮停止した後に再可変表示を行うことが可能な遊技機（例えば、パチンコ遊技機１等）であって、第１表示手段（例えば、画像表示装置５等）と、第２表示手段（例えば、副画像表示装置３８ＳＨ５Ａ等）と、を備え、前記第１表示手段と前記第２表示手段とに跨らずに、前記再可変表示に関連する第１文字表示を表示可能であり、前記第１表示手段と前記第２表示手段とに跨って、前記有利状態に制御されることを事前に示唆する先読み演出に関連する第２文字表示を前記第１文字表示よりも大きく表示可能であり（例えば、画像表示装置５と副画像表示装置３８ＳＨ５Ａとに跨って、先読みゾーン演出の実行中であることを報知するゾーンテロップ画像３８ＳＨ３０を表示すること等）、前記第１文字表示と、前記第２文字表示とを同時に表示可能であり、前記第１表示手段と前記第２表示手段とに跨って前記第２文字表示を表示するときに、前記第１表示手段の表示領域と前記第２表示手段の表示領域との間の非表示領域の大きさよりも大きい文字を表示可能である（例えば、画像表示装置５のフレーム部３８ＳＨ５Ｆの幅寸法と、副画像表示装置３８ＳＨ５Ａのフレーム部３８ＳＨ５ＡＦの幅寸法とを足し合わせた長さよりも、各文字の幅方向の長さの方が長いフォントサイズの文字情報３８ＳＨ３１を表示すること等）、ことを特徴とする。
（１）上記目的を達成するため、他の遊技機は、遊技を行うことが可能な遊技機（例えば、パチンコ遊技機１等）であって、第１表示手段（例えば、画像表示装置５等）と、第２表示手段（例えば、副画像表示装置３８ＳＨ５Ａ等）とを備え、前記第１表示手段と前記第２表示手段とに跨って所定状態に関連する関連表示を表示可能である（例えば、画像表示装置５と副画像表示装置３８ＳＨ５Ａとに跨って、先読みゾーン演出の実行中であることを報知するゾーンテロップ画像３８ＳＨ３０を表示すること等）。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
有利状態に制御可能な遊技機であって、
所定表示が所定動作を行い特定態様となる表示をする所定表示手段と、
前記所定表示手段により前記所定表示が前記特定態様となったときに複数種類の特定演出のうちのいずれかの前記特定演出を実行可能な特定演出実行手段と、
前記特定演出実行手段により実行される前記特定演出の種類を示唆する示唆画像を表示する示唆画像表示手段と、を備え、
前記特定演出として、リーチ演出を含み、
前記示唆画像として、前記リーチ演出の実行を示唆する示唆画像を含み、
前記示唆画像表示手段は、
前記所定表示が前記特定態様となる前に、前記示唆画像を変化させて表示可能であり、
前記示唆画像を変化させる前に、当該示唆画像に作用する作用演出を実行可能であり、
前記所定動作の実行期間が長いときの方が、前記所定動作の実行期間が短いときに比べて多くの前記示唆画像を表示する割合が高い、遊技機。
【手続補正２】
【補正対象書類名】明細書
【補正対象項目名】０００６
【補正方法】変更
【補正の内容】
【０００６】
（Ａ）  上記目的を達成するため、本願発明に係る遊技機は、
有利状態に制御可能な遊技機であって、
所定表示が所定動作を行い特定態様となる表示をする所定表示手段と、
前記所定表示手段により前記所定表示が前記特定態様となったときに複数種類の特定演出のうちのいずれかの前記特定演出を実行可能な特定演出実行手段と、
前記特定演出実行手段により実行される前記特定演出の種類を示唆する示唆画像を表示する示唆画像表示手段と、を備え、
前記特定演出として、リーチ演出を含み、
前記示唆画像として、前記リーチ演出の実行を示唆する示唆画像を含み、
前記示唆画像表示手段は、
前記所定表示が前記特定態様となる前に、前記示唆画像を変化させて表示可能であり、
前記示唆画像を変化させる前に、当該示唆画像に作用する作用演出を実行可能であり、
前記所定動作の実行期間が長いときの方が、前記所定動作の実行期間が短いときに比べて多くの前記示唆画像を表示する割合が高い。
（１）  さらに、他の態様に係る遊技機は、
有利状態（大当り遊技状態等）に制御可能な遊技機（パチンコ遊技機１等）であって、
所定表示（タイマ表示領域１５４Ｆ００２の表示値等）の所定動作（タイマのカウントダウン等）に伴い、当該所定表示の表示態様を特定態様（図９（ｉ）に示すように、タイマの初期秒数として設定された秒数がカウントダウンされ０秒になる等）とする表示が可能な表示手段（図９の演出領域１５４Ｆ００１、画像表示装置５等）と、
前記表示手段により前記所定表示が前記特定態様となったときに複数種類の特定演出（図９（ｊ）の「激熱」の他、図１４の各種の特定演出等）のうちのいずれかの特定演出を実行可能な特定演出実行手段（演出制御用ＣＰＵ１２０等）と、
前記所定動作を開始する前に、当該所定動作を開始することを示唆する示唆演出（図８に示すカウントアップの演出等）を実行可能な示唆演出実行手段（演出制御用ＣＰＵ１２０等）とを備え、
前記示唆演出の実行期間に応じて、前記所定表示の表示態様が前記特定態様となったときに実行される特定演出の実行割合が異なる（図１４に示すように、カウントアップが行われる回数の違い、すなわち、タイマが最終的に０になるまでの長さに応じて、選択される特定演出の割合が異なっている等）。
【手続補正３】
【補正対象書類名】明細書
【補正対象項目名】０００７
【補正方法】変更
【補正の内容】
【０００７】
このような構成によれば、遊技の興趣を向上することができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
表示手段と、
前記表示手段に表示される複数の表示に共通の変化を与える特定演出を実行可能な特定演出実行手段と、を備え、
前記表示手段は、所定状態に関連する関連表示として、前記特定演出による変化を受ける第１関連表示と、前記特定演出による変化を受けない第２関連表示と、を重ならないように表示し、
前記特定演出実行手段は、前記特定演出を拡大表示もしくは縮小表示することにより、前記関連表示に変化を与えることが可能であり、
前記第１関連表示は、文字表示であり、
前記第２関連表示は、文字表示であり、
前記第１関連表示は、
移動する態様で表示され、前記特定演出による変化を受けるときにも移動する態様で表示され、
前記特定演出を拡大表示もしくは縮小表示することによる変化を受けるときに、拡大表示もしくは縮小表示することが可能である、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技を行うことが可能な遊技機（例えば、パチンコ遊技機１等）であって、表示手段（例えば、画像表示装置５等）と、前記表示手段に表示される複数の表示に共通の変化を与える特定演出を実行可能な特定演出実行手段（例えば、演出制御用ＣＰＵ１２０が、画像表示装置５に表示される複数の表示を共通の縮小率で縮小させる縮小演出を実行可能であること等）と、を備え、前記表示手段は、所定状態に関連する関連表示として、前記特定演出による変化を受ける第１関連表示と、前記特定演出による変化を受けない第２関連表示と、を重ならないように表示し、前記特定演出実行手段は、前記特定演出を拡大表示もしくは縮小表示することにより、前記関連表示に変化を与えることが可能であり、前記第１関連表示は、文字表示であり、前記第２関連表示は、文字表示であり、前記第１関連表示は、移動する態様で表示され（例えば、大当り中演出の実行中であることを報知する大当りテロップ画像３８ＳＨ１０を、文字情報３８ＳＨ１１が移動する態様で表示すること等）、前記特定演出による変化を受けるときにも移動する態様で表示され（例えば、画ブレ演出が実行されることにより変化した場合にも文字情報３８ＳＨ１１が移動する態様で表示されること等）、前記特定演出を拡大表示もしくは縮小表示することによる変化を受けるときに、拡大表示もしくは縮小表示することが可能である、ことを特徴とする。
（１）上記目的を達成するため、他の遊技機は、遊技を行うことが可能な遊技機（例えば、パチンコ遊技機１等）であって、表示手段（例えば、画像表示装置５等）と、前記表示手段に表示される複数の表示に共通の変化を与える特定演出を実行する特定演出手段（例えば、演出制御用ＣＰＵ１２０が、画像表示装置５に表示される複数の表示を共通の縮小率で縮小させる縮小演出を実行可能であること等）とを備え、前記表示手段は、所定状態に関連する関連表示を、動作を伴う態様で表示可能であり（例えば、大当り中演出の実行中であることを報知する大当りテロップ画像３８ＳＨ１０を、文字情報３８ＳＨ１１が移動する態様で表示すること等）、関連表示は、前記特定演出が実行されることにより変化した場合にも動作を伴う態様で表示可能である（例えば、画ブレ演出が実行されることにより変化した場合にも文字情報３８ＳＨ１１が移動する態様で表示されること等）。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
次亜塩素酸を含有する水素イオン濃度が３．０以上８．５以下の次亜塩素酸水溶液を保持するトレイと、
前記トレイの前記次亜塩素酸水溶液から次亜塩素酸を揮発させるための通風揮発手段と、
前記通風揮発手段に交差して送風する送風手段と、
運転制御を行う制御手段と、
を備え、
前記次亜塩素酸水溶液に含まれる非解離型の次亜塩素酸を揮発させて空間に拡散し、気体状の次亜塩素酸で所定の空間を除菌する揮発装置であって、
前記トレイの前記次亜塩素酸水溶液を排水する排水手段と、
前記次亜塩素酸水溶液を前記トレイに供給するための給水タンクと、
前記給水タンクと前記トレイと前記排水手段とを連通する通水路と、
をさらに備え、
前記制御手段は、前記トレイの次亜塩素酸水溶液の濃度が低下したときに前記排水手段を駆動させて前記トレイから前記次亜塩素酸水溶液を排水し、前記排水手段の排水速度よりも小さい速度で前記給水タンクから前記トレイに前記次亜塩素酸水溶液の給水を行うことを特徴とする揮発装置。
【請求項２】
前記制御手段は、前記送風手段に対してあらかじめ設定した設定風量から、前記排水手段を駆動するまでの時定数を設定し、前記時定数に基づいて排水制御を行うことを特徴とする請求項１に記載の揮発装置。
【請求項３】
前記送風手段によって吸い込まれた空気の温度を検知するための空気温度検知手段を備え、
前記制御手段は、前記空気温度検知手段により検知した温度と、前記送風手段の前記設定風量から、前記排水手段を駆動するまでの時定数を設定し、前記時定数に基づいて排水制御を行うことを特徴とする請求項１に記載の揮発装置。
【請求項４】
前記トレイの前記次亜塩素酸水溶液の次亜塩素酸濃度を検知するための次亜塩素酸検知手段を備え、
前記制御手段は、前記次亜塩素酸検知手段により検知した前記次亜塩素酸濃度があらかじめ設定した値を下回ったとき、前記排水手段を駆動させて排水制御を行うことを特徴とする請求項１に記載の揮発装置。
【手続補正２】
【補正対象書類名】明細書
【補正対象項目名】０００８
【補正方法】変更
【補正の内容】
【０００８】
そして、この目的を達成するために本発明に係る揮発装置は、次亜塩素酸を含有する水素イオン濃度が３．０以上８．５以下の次亜塩素酸水溶液を保持するトレイと、トレイの次亜塩素酸水溶液から次亜塩素酸を揮発させるための通風揮発手段と、通風揮発手段に交差して送風する送風手段と、運転制御を行う制御手段と、を備え、次亜塩素酸水溶液に含まれる非解離型の次亜塩素酸を揮発させて空間に拡散し、気体状の次亜塩素酸で所定の空間を除菌する揮発装置であって、トレイの次亜塩素酸水溶液を排水する排水手段と、次亜塩素酸水溶液をトレイに供給するための給水タンクと、給水タンクとトレイと排水手段とを連通する通水路と、をさらに備え、制御手段は、トレイの次亜塩素酸水溶液の濃度が低下したときに排水手段を駆動させてトレイから次亜塩素酸水溶液を排水し、排水手段の排水速度よりも小さい速度で給水タンクからトレイに次亜塩素酸水溶液の給水を行うことを特徴としたものである。そして、これら手段により、初期の目的を達成するものである。
【手続補正３】
【補正対象書類名】明細書
【補正対象項目名】０００９
【補正方法】変更
【補正の内容】
【０００９】
以上のように本発明は、トレイの次亜塩素酸水溶液の濃度が低下して次亜塩素酸水溶液を濃度が高いものに入れ替える揮発装置において、トレイの次亜塩素酸水溶液が、古いものと新しいものが混合しないように給水速度を遅く、排水速度を速くして水溶液の入れ替えをすることで、効率よく確実にトレイの次亜塩素酸水溶液を目標の濃度に設定することができる。これにより、次亜塩素酸水溶液の濃度低下による揮発量低下を防ぎ、次亜塩素酸を安定した濃度で揮発させることで、高い脱臭、除菌効果を保つことできる。
【手続補正４】
【補正対象書類名】明細書
【補正対象項目名】００１１
【補正方法】変更
【補正の内容】
【００１１】
本発明に係る揮発装置は、次亜塩素酸を含有する水素イオン濃度が３．０以上８．５以下の次亜塩素酸水溶液を保持するトレイと、トレイの次亜塩素酸水溶液から次亜塩素酸を揮発させるための通風揮発手段と、通風揮発手段に交差して送風する送風手段と、運転制御を行う制御手段と、を備え、次亜塩素酸水溶液に含まれる非解離型の次亜塩素酸を揮発させて空間に拡散し、気体状の次亜塩素酸で所定の空間を除菌する揮発装置であって、トレイの次亜塩素酸水溶液を排水する排水手段と、次亜塩素酸水溶液をトレイに供給するための給水タンクと、給水タンクとトレイと排水手段とを連通する通水路と、をさらに備え、制御手段は、トレイの次亜塩素酸水溶液の濃度が低下したときに排水手段を駆動させてトレイから次亜塩素酸水溶液を排水し、排水手段の排水速度よりも小さい速度で給水タンクからトレイに次亜塩素酸水溶液の給水を行うことを特徴とする。
【手続補正５】
【補正対象書類名】明細書
【補正対象項目名】００１４
【補正方法】変更
【補正の内容】
【００１４】
また、本発明に係る揮発装置では、制御手段は、送風手段に対してあらかじめ設定した設定風量から、排水手段を駆動するまでの時定数を設定し、時定数に基づいて排水制御を行うことを特徴とする。
【手続補正６】
【補正対象書類名】明細書
【補正対象項目名】００１６
【補正方法】変更
【補正の内容】
【００１６】
また、本発明に係る揮発装置は、送風手段によって吸い込まれた空気の温度を検知するための空気温度検知手段を備え、制御手段は、空気温度検知手段により検知した温度と、送風手段の設定風量から、排水手段を駆動するまでの時定数を設定し、時定数に基づいて排水制御を行うことを特徴とする。
【手続補正７】
【補正対象書類名】明細書
【補正対象項目名】００１８
【補正方法】変更
【補正の内容】
【００１８】
また、本発明に係る揮発装置は、トレイの次亜塩素酸水溶液の次亜塩素酸濃度を検知するための次亜塩素酸検知手段を備え、制御手段は、次亜塩素酸検知手段により検知した次亜塩素酸濃度があらかじめ設定した値を下回ったとき、排水手段を駆動させて排水制御を行うことを特徴とする。
【手続補正８】
【補正対象書類名】明細書
【補正対象項目名】００３４
【補正方法】変更
【補正の内容】
【００３４】
排水速度は、トレイ６に貯留される使用済みの次亜塩素酸水溶液が迅速に排出されることが好ましく、トレイ６の貯留槽の容積をＶとすると、排水速度は毎分Ｖ以上がよく、より好ましくは、図３に示すように、毎分Ｖの２倍容から１０倍容である。給水速度は、図３に示すように、排水速度よりも小さい値とする必要があり、好ましくは排水速度の１／２から１／１０倍速である。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
前記遊技領域に発射された遊技球を検出する発射球検出手段と、
遊技に関する情報を表示可能な表示部と、
前記表示部における前記遊技に関する情報の表示を制御する表示制御手段と、
を備え、
前記表示制御手段は、
前記表示部に前記遊技に関する情報として所定情報を表示可能な第一期間と、前記表示部において前記遊技に関する情報として前記所定情報と異なる内容の特定情報を表示可能な第二期間とを設定可能であって、前記発射球検出手段により検出された遊技球数を順次加算した累積検出数が所定条件を満たすごとに、前記第一期間と前記第二期間とを切替える
ことを特徴とする遊技機。
【手続補正２】
【補正対象書類名】明細書
【補正対象項目名】０００６
【補正方法】変更
【補正の内容】
【０００６】
上記目的を達成するために、本発明の一態様による遊技機は、遊技球が流下可能な遊技領域と、前記遊技領域に発射された遊技球を検出する発射球検出手段と、遊技に関する情報を表示可能な表示部と、前記表示部における前記遊技に関する情報の表示を制御する表示制御手段と、を備え、前記表示制御手段は、前記表示部に前記遊技に関する情報として所定情報を表示可能な第一期間と、前記表示部において前記遊技に関する情報として前記所定情報と異なる内容の特定情報を表示可能な第二期間とを設定可能であって、前記発射球検出手段により検出された遊技球数を順次加算した累積検出数が所定条件を満たすごとに、前記第一期間と前記第二期間とを切替えることを特徴とする。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
記憶部と、制御部と、を備え、ユーザが有する携帯端末にゲームを提供する情報処理装置のプログラムであって、
前記記憶部は、複数のゲーム媒体の中の少なくとも一のゲーム媒体に関する情報と、ユーザによって設定された、メッセージを受信したいタイミングと、を記憶し、
前記制御部に、
前記一のゲーム媒体に関する情報と前記タイミングとに基づいて、前記メッセージを送信するタイミングを決定し、
前記決定されたタイミングに基づいて前記メッセージを、前記携帯端末に送信する、
ことを実行させ、
前記タイミングの決定において、所定の条件が満たされた場合、前記一のゲーム媒体に関する情報に代えて、前記一のゲーム媒体とは異なる他のゲーム媒体に関する情報に基づいて前記タイミングが決定される、
ことを特徴とするプログラム。
【請求項２】
前記所定の条件は、所定のイベントの開催期間中であるという条件、前記所定のイベントの開催前の所定期間中であるという条件、及びイベントの情報から特定のゲーム媒体に関する情報が取得されたという条件のうちの少なくとも一つを含む、請求項１に記載のプログラム。
【請求項３】
前記一のゲーム媒体は、前記ユーザ又は前記ユーザに関連する他のユーザによって取得された特定のゲーム媒体である、請求項１又は２に記載のプログラム。
【請求項４】
前記特定のゲーム媒体は、希少度が所定値以上のゲーム媒体である、請求項３に記載のプログラム。
【請求項５】
前記特定のゲーム媒体は、開催中の所定のイベントに関連したゲーム媒体である、請求項３に記載のプログラム。
【請求項６】
前記制御部に、前記タイミングの決定において用いられたゲーム媒体の所定のパラメータに応じて前記メッセージの内容を決定することを更に実行させる、請求項１〜５の何れか一項に記載のプログラム。
【請求項７】
記憶部と、制御部と、を備え、ユーザが有する携帯端末にゲームを提供する情報処理装置の制御方法であって、
前記記憶部は、複数のゲーム媒体の中の少なくとも一のゲーム媒体に関する情報と、ユーザによって設定された、メッセージを受信したいタイミングと、を記憶しており、
前記制御部が、
前記一のゲーム媒体に関する情報と前記タイミングとに基づいて、前記メッセージを送信するタイミングを決定し、
前記決定されたタイミングに基づいて前記メッセージを、前記携帯端末に送信する、
ことを含み、
前記タイミングの決定において、前記制御部が、所定の条件が満たされた場合、前記一のゲーム媒体に関する情報に代えて、前記一のゲーム媒体とは異なる他のゲーム媒体に関する情報に基づいて前記タイミングを決定する、
ことを特徴とする制御方法。
【請求項８】
ユーザが有する携帯端末にゲームを提供する情報処理装置であって、
複数のゲーム媒体の中の少なくとも一のゲーム媒体に関する情報と、ユーザによって設定された、メッセージを受信したいタイミングと、を記憶する記憶部と、
前記一のゲーム媒体に関する情報と前記タイミングとに基づいて、前記メッセージを送信するタイミングを決定し、
前記決定されたタイミングに基づいて前記メッセージを、前記携帯端末に送信する、制御部と、を備え、
前記制御部は、所定の条件が満たされた場合、前記一のゲーム媒体に関する情報に代えて、前記一のゲーム媒体とは異なる他のゲーム媒体に関する情報に基づいて前記タイミングを決定する、
ことを特徴とする情報処理装置。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
水上航行時に水から揚力を受けるためのフラップが車両本体の進行方向前方側において展開および収納可能に設けられて成る水陸両用車において、
前記フラップは、前記車両本体の前面に近接するように収納される下段フラップと、前記車両本体の上面に近接するように収納される上段フラップとを有するものであり、
前記下段フラップおよび前記上段フラップの少なくとも一方は、第一のフラップ部材と第二のフラップ部材とを有して車両幅方向と直交する方向におけるフラップ長さを可変に構成されて成るものであり、
前記第一のフラップ部材と前記第二のフラップ部材とは、互いに摺動可能に接続されて成るものであり、
前記フラップは、前記第一のフラップ部材と前記第二のフラップ部材との摺動動作により、前記フラップ長さを可変に構成されるものであることを特徴とする水陸両用車。
【請求項２】
水上航行時に水から揚力を受けるためのフラップが車両本体の進行方向前方側において展開および収納可能に設けられて成る水陸両用車において、
前記フラップは、前記車両本体の前面に近接するように収納される下段フラップと、前記車両本体の上面に近接するように収納される上段フラップとを有するものであり、
前記下段フラップおよび前記上段フラップの少なくとも一方は、第一のフラップ部材と第二のフラップ部材とを有して車両幅方向と直交する方向におけるフラップ長さを可変に構成されて成るものであり、
前記フラップを展開および収納する駆動装置と、
水上を移動する際の航行状態を検出可能な航行状態検出装置と、
前記航行状態検出装置の検出結果に基づいて、前記駆動装置の駆動を制御する制御装置と
を備えたことを特徴とする水陸両用車。
【請求項３】
前記制御装置は、前記航行状態検出装置によって航行状態が浮航状態であることが検出されると、前記フラップ長さが長くなるように前記駆動装置を動作し、前記航行状態検出装置によって航行状態が滑走状態であることが検出されると、前記フラップ長さが短くなるように前記駆動装置を動作するものであることを特徴とする請求項２に記載の水陸両用車。
【請求項４】
前記フラップを展開および収納する駆動装置と、
水上を移動する際の航行状態を検出可能な航行状態検出装置と、
前記航行状態検出装置の検出結果に基づいて、前記駆動装置の駆動を制御する制御装置と
を備えたことを特徴とする請求項１に記載の水陸両用車。
【請求項５】
前記制御装置は、前記航行状態検出装置によって航行状態が浮航状態であることが検出されると、前記フラップ長さが長くなるように前記駆動装置を動作し、前記航行状態検出装置によって航行状態が滑走状態であることが検出されると、前記フラップ長さが短くなるように前記駆動装置を動作するものであることを特徴とする請求項４に記載の水陸両用車。